(57)【要約】    【課題】  光学系全体が小型で、高ズーム比で、しかも全ズーム範囲にわたり高い光学性能が得られるズームレンズを得ること。    【解決手段】  物体側より像側へ順に、正の屈折力の第１レンズ群、負の屈折力の第２レンズ群、正の屈折力の第３レンズ群、正の屈折力の第４レンズ群を有し、  ズーミングに際して、各レンズ群が移動するズームレンズであって、  該第１レンズ群および第３レンズ群は広角端に比べ望遠端において物体側に位置するように移動し、  該第４レンズ群は物体側へ凸状の軌跡を描くように移動し、  望遠端における該第１レンズ群と第２レンズ群との間隔ＤＴ１２、望遠端における該第２レンズ群と第３レンズ群との間隔ＤＴ２３、該第１、第２、第３レンズ群の焦点距離を順にｆ１、ｆ２、ｆ３、広角端における全系の焦点距離ｆｗを各々適切に設定すること。【選択図】    図１
2010039429.tif 000002
【特許請求の範囲】
【請求項１】
物体側より像側へ順に、正の屈折力の第１レンズ群、負の屈折力の第２レンズ群、正の屈折力の第３レンズ群、正の屈折力の第４レンズ群を有し、
ズーミングに際して、各レンズ群が移動するズームレンズであって、
該第１レンズ群および第３レンズ群は広角端に比べ望遠端において物体側に位置するように移動し、
該第４レンズ群は物体側へ凸状の軌跡を描くように移動し、
望遠端における該第１レンズ群と第２レンズ群との間隔をＤＴ１２、望遠端における該第２レンズ群と第３レンズ群との間隔をＤＴ２３、該第１、第２、第３レンズ群の焦点距離を順にｆ１、ｆ２、ｆ３、広角端における全系の焦点距離をｆｗとするとき
０．００＜ＤＴ２３／ＤＴ１２＜０．０６
６．５＜ｆ１／ｆｗ＜３０．０
−０．７５＜ｆ２／ｆ３＜−０．１０
なる条件式を満足することを特徴とするズームレンズ。
【請求項２】
前記第２レンズ群の焦点距離ｆ２は
−２．５＜ｆ２／ｆｗ＜−１．０
なる条件式を満足することを特徴とする請求項１に記載のズームレンズ。
【請求項３】
望遠端における前記第３レンズ群と第４レンズ群との間隔をＤＴ３４とするとき
０．００＜ＤＴ２３／ＤＴ３４＜０．０８
なる条件を満足することを特徴とする請求項１または２に記載のズームレンズ。
【請求項４】
前記第４レンズ群の焦点距離をｆ４とするとき、
０．１＜ｆ３／ｆ４＜０．８
なる条件式を満足することを特徴とする請求項１乃至３のいずれか１項に記載のズームレンズ。
【請求項５】
前記第４レンズ群の焦点距離をｆ４とするとき
−０．５＜ｆ２／ｆ４＜−０．２
なる条件式を満足することを特徴とする請求項１乃至４のいずれか１項に記載のズームレンズ。
【請求項６】
前記第３レンズ群中のレンズ空気間隔のうち最大となるレンズ空気間隔をＤＬ３、該第３レンズ群全体の厚みをＤＧ３とするとき、
０．２＜ＤＬ３／ＤＧ３＜０．５
なる条件式を満足することを特徴とする請求項１乃至５のいずれか１項に記載のズームレンズ。
【請求項７】
広角端と望遠端における前記第４レンズ群の横倍率をそれぞれβ４ｗ、β４ｔとするとき、
０．５＜β４ｔ／β４ｗ＜２．０
なる条件式を満足することを特徴とする請求項１乃至６のいずれか１項に記載のズームレンズ。
【請求項８】
広角端と望遠端における前記第２レンズ群の横倍率をそれぞれβ２ｗ、β２ｔとするとき、
２．０＜β２ｔ／β２ｗ＜６．０
なる条件式を満足することを特徴とする請求項１乃至７のいずれか１項に記載のズームレンズ。
【請求項９】
前記第１レンズ群は物体側から像側へ順に、負レンズ、正レンズ、正レンズからなることを特徴とする請求項１乃至８のいずれか１項に記載のズームレンズ。
【請求項１０】
前記第３レンズ群は物体側から像側へ順に、正レンズ、負レンズを含むことを特徴とする請求項１乃至９のいずれか１項に記載のズームレンズ。
【請求項１１】
前記第３レンズ群は２枚の正レンズと１枚の負レンズを含むことを特徴とする請求項１乃至１０のいずれか１項に記載のズームレンズ。
【請求項１２】
前記第４レンズ群は正レンズまたは正レンズと負レンズを貼りあわせた接合レンズからなることを特徴とする請求項１乃至１１のいずれか１項に記載のズームレンズ。
【請求項１３】
前記第３レンズ群を、光軸方向と垂直方向の成分を持つように移動させて、前記ズームレンズが振動したときの撮影画像のぶれを補正する事を特徴とする、請求項１乃至１２のいずれか１項に記載のズームレンズ。
【請求項１４】
固体撮像素子に像を形成することを特徴とする、請求項１乃至１３のいずれか１項に記載のズームレンズ。
【請求項１５】
請求項１乃至１４のいずれか１項に記載のズームレンズと、該ズームレンズによって形成される像を受光する固体撮像素子とを有していることを特徴とする撮像装置。
【発明の詳細な説明】
【技術分野】
【０００１】
本発明はズームレンズ及びそれを有する撮像装置に関し、例えばビデオカメラ、デジタルスチルカメラ、ＴＶカメラ、銀塩写真用のカメラ等に好適なものである。
【背景技術】
【０００２】
近年、固体撮像素子を用いたビデオカメラ、デジタルスチルカメラ、ＴＶカメラ、そして銀塩フィルムを用いたカメラ等の撮像装置は高機能化され、装置全体が小型化されている。そしてそれに用いる撮影光学系としてレンズ全長が短く、コンパクトで高ズーム比で、かつ全ズーム範囲で高解像力の画像が得られるズームレンズであることが要求されている。
【０００３】
これらの要求に応えるズームレンズとして、物体側の第１レンズ群以外のレンズ群を移動させてフォーカシングを行う、所謂リヤーフォーカス式のズームレンズが知られている。
【０００４】
一般にリヤーフォーカス式のズームレンズは第１レンズ群を移動させてフォーカシングを行うズームレンズに比べて第１レンズ群の有効径が小さくなり、レンズ系全体の小型化が容易になる。また近接撮影、特に極至近撮影が容易となり、さらに小型軽量のレンズ群を移動させているので、レンズ群の駆動力が小さくて済み迅速な焦点合わせが出来る等の特徴がある。
【０００５】
リヤーフォーカス式のズームレンズとして、物体側より像側へ順に、正の屈折力の第１レンズ群、負の屈折力の第２レンズ群、正の屈折力の第３レンズ群、正の屈折力の第４レンズ群の４つのレンズ群を有する４群ズームレンズが知られている。
【０００６】
この４群ズームレンズにおいて、第２レンズ群を移動させて変倍を行い、第４レンズ群を移動させて変倍に伴う像面変動補正とフォーカシングを行ったズームレンズが知られている（特許文献１、２）。
【０００７】
又、この４群ズームレンズにおいて、各レンズ群を移動させることによって変倍を行い、第４レンズ群を移動させてフォーカシングを行ったズームレンズが知られている（特許文献３、４）。
【０００８】
又、物体側より像側へ順に、正、負、正、正の屈折力のレンズ群を有する４または５群で第１から第４レンズ群を移動させることによってズーミングを行い、第４レンズ群でフォーカシングを行ったズームレンズが知られている（特許文献５）。
【特許文献１】特開平７−２７０６８４号公報
【特許文献２】特開平１１−３０５１２４号公報
【特許文献３】特開２００６−１３３６３２号公報
【特許文献４】特開２００７−２１２５３７号公報
【特許文献５】特開２００６−１７１６５５号広報
【発明の開示】
【発明が解決しようとする課題】
【０００９】
一般にズームレンズを小型化するためには、ズームレンズを構成する各レンズ群の屈折力を強めつつ、レンズ枚数を削減すれば良い。しかしながら、このようにしたズームレンズは、各レンズ面の屈折力の増加に伴いレンズ肉厚が増してしまい、レンズ系の短縮効果が不十分になると同時に望遠端における色収差などの諸収差の補正が困難になってくる。
【００１０】
また高ズーム比化に伴い、各レンズ及びレンズ群の組立上の倒れなどの誤差が大きくなってくる。レンズ及びレンズ群の偏芯による敏感度が大きいと偏芯により光学性能が大きく劣化し、又防振時に光学性能が大きく劣化してくる。このためズームレンズにおいては、各レンズや各レンズ群の偏芯による敏感度はなるべく小さくするのが望ましい。
【００１１】
前述した４群ズームレンズや５群ズームレンズにおいて、高ズーム比とレンズ系全体の小型化を図りつつ、良好な光学性能を得るには各レンズ群の屈折力やレンズ構成、そして各レンズ群のズーミングに伴う移動条件等を適切に設定することが重要となる。
【００１２】
特に第１〜第３レンズ群の屈折力やズーミングに際して各レンズ群の移動条件等を適切に設定することが重要になってくる。
【００１３】
これらの構成を適切に設定しないと、全系の小型化を図りつつ、高ズーム比で全ズーム範囲で高い光学性能を得るのが難しくなってくる。
【００１４】
本発明は、光学系全体が小型で、高ズーム比で、しかも全ズーム範囲にわたり高い光学性能が得られるズームレンズ及びそれを有する撮像装置の提供を目的とする。
【課題を解決するための手段】
【００１５】
本発明のズームレンズは、物体側より像側へ順に、正の屈折力の第１レンズ群、負の屈折力の第２レンズ群、正の屈折力の第３レンズ群、正の屈折力の第４レンズ群を有し、
ズーミングに際して、各レンズ群が移動するズームレンズであって、
該第１レンズ群および第３レンズ群は広角端に比べ望遠端において物体側に位置するように移動し、
該第４レンズ群は物体側へ凸状の軌跡を描くように移動し、
望遠端における該第１レンズ群と第２レンズ群との間隔をＤＴ１２、望遠端における該第２レンズ群と第３レンズ群との間隔をＤＴ２３、該第１、第２、第３レンズ群の焦点距離を順にｆ１、ｆ２、ｆ３、広角端における全系の焦点距離をｆｗとするとき
０．００＜ＤＴ２３／ＤＴ１２＜０．０６
６．５＜ｆ１／ｆｗ＜３０．０
−０．７５＜ｆ２／ｆ３＜−０．１０
なる条件式を満足することを特徴としている。
【発明の効果】
【００１６】
本発明によれば、光学系全体が小型で、高ズーム比で、しかも全ズーム範囲にわたり高い光学性能が得られるズームレンズが得られる。
【発明を実施するための最良の形態】
【００１７】
以下、本発明のズームレンズ及びそれを有する撮像装置の実施例について説明する。
【００１８】
本発明のズームレンズは、物体側より像側へ順に、正の屈折力の第１レンズ群、負の屈折力の第２レンズ群、正の屈折力の第３レンズ群、正の屈折力の第４レンズ群を有している。
【００１９】
第４レンズ群の像側に正又は負の屈折力の第５レンズ群を有する場合もある。
【００２０】
ズーミングに際して、第１レンズ群乃至第４レンズ群が移動する。特に第１レンズ群および第３レンズ群は広角端に比べ望遠端において物体側に位置するように移動する。
【００２１】
又第４レンズ群は物体側へ凸状の軌跡を描くように移動する。
【００２２】
フォーカシングに際して第４レンズ群が移動する。
【００２３】
図１は本発明の実施例１のズームレンズの広角端（短焦点距離）におけるレンズ断面図である。図２、図３、図４はそれぞれ実施例１のズームレンズの広角端、中間のズーム位置、望遠端（長焦点距離）における収差図である。
【００２４】
図５は本発明の実施例２のズームレンズの広角端におけるレンズ断面図である。図６、図７、図８はそれぞれ実施例２のズームレンズの広角端、中間のズーム位置、望遠端における収差図である。
【００２５】
図９は本発明の実施例３のズームレンズの広角端におけるレンズ断面図である。図１０、図１１、図１２はそれぞれ実施例３のズームレンズの広角端、中間のズーム位置、望遠端における収差図である。
【００２６】
図１３は本発明の実施例４のズームレンズの広角端におけるレンズ断面図である。図１４、図１５、図１６はそれぞれ実施例４のズームレンズの広角端、中間のズーム位置、望遠端における収差図である。
【００２７】
図１７は本発明の実施例５のズームレンズの広角端におけるレンズ断面図である。図１８、図１９、図２０はそれぞれ実施例５のズームレンズの広角端、中間のズーム位置、望遠端における収差図である。
【００２８】
図２１は本発明の実施例６のズームレンズの広角端におけるレンズ断面図である。図２２、図２３、図２４はそれぞれ実施例６のズームレンズの広角端、中間のズーム位置、望遠端における収差図である。
【００２９】
図２５は本発明のズームレンズを備えるカメラの要部概略図である。各実施例のズームレンズはビデオカメラやデジタルスチルカメラやＴＶカメラ、そして銀塩フィルムカメラ等の撮像装置に用いられる撮影レンズ系である。
【００３０】
レンズ断面図において、左方が被写体側（物体側、前方）で、右方が像側（後方）である。ズームレンズをプロジェクターに用いるときは、左方がスクリーン、右方が被投射画像となる。レンズ断面図において、ｉは物体側からのレンズ群の順番を示し、Ｌｉは第ｉレンズ群である。
【００３１】
レンズ断面図において、Ｌ１は正の屈折力（光学的パワー＝焦点距離の逆数）の第１レンズ群、Ｌ２は負の屈折力の第２レンズ群、Ｌ３は正の屈折力の第３レンズ群、Ｌ４は正の屈折力の第４レンズ群、Ｌ５は正または負の屈折力の第５レンズ群である。
【００３２】
ＳＰは開口絞りであり、第３レンズ群Ｌ３の物体側または第３レンズ群Ｌ３中に配置している。Ｇは光学フィルター、フェースプレート、水晶ローパスフィルター、赤外カットフィルター等に相当する光学ブロックである。
【００３３】
ＩＰは像面であり、ビデオカメラやデジタルスチルカメラの撮影光学系として使用する際にはＣＣＤセンサやＣＭＯＳセンサ等の固体撮像素子（光電変換素子）の撮像面に、銀塩フィルム用カメラのときはフィルム面に相当する感光面が置かれる。
【００３４】
収差図において、ｄ、ｇは各々ｄ線及びｇ線、ΔＭ，ΔＳはメリディオナル像面、サジタル像面、倍率色収差はｇ線によって表している。ωは半画角、ＦｎｏはＦナンバーである。
【００３５】
尚、以下の各実施例において広角端と望遠端は変倍用レンズ群が機構上光軸上を移動可能な範囲の両端に位置したときのズーム位置をいう。
【００３６】
各実施例では、広角端から望遠端へのズーミングに際して矢印のように各レンズ群を移動させている。
【００３７】
具体的には、各実施例では広角端から望遠端へのズーミングに際して矢印のように第１レンズ群Ｌ１を広角端よりも望遠端で物体側に位置するように像側に凸状の軌跡を描いて移動している。第２レンズ群Ｌ２を像側へ凸状の軌跡を描いて移動している。第３レンズ群Ｌ３を物体側へ移動させ、第４レンズ群Ｌ４を物体側に凸状の軌跡を描いて移動させている。
【００３８】
このように各実施例では、ズーミングに際し、各レンズ群を移動させることにより全系の小型化を図りつつ、高いズーム比を実現している。
【００３９】
また、各レンズ群を移動させることで主に広角端及びその付近において画面周辺光量比の急峻な落ちを改善している。
【００４０】
ズーミングに際し、広角端に比べて望遠端において第１レンズ群Ｌ１と第３レンズ群Ｌ３が物体側に位置する様に移動させている。これにより広角端におけるレンズ全長（第１レンズ面から最終レンズ面までの距離）を小型に維持しつつ、高い変倍比が得られるようにしている。
【００４１】
また、第１レンズ群Ｌ１の偏芯および傾きの敏感度を低減させている。
【００４２】
特に、各実施例では、広角端から望遠端へのズーミングに際して第３レンズ群Ｌ３を物体側に移動させることにより、第３レンズ群Ｌ３に変倍分担を持たせている。
【００４３】
更に正の屈折力の第１レンズ群Ｌ１を物体側へ移動することで第２レンズ群Ｌ２に大きな変倍効果を持たせて第１レンズ群Ｌ１、第２レンズ群Ｌ２の屈折力をあまり大きくすることなく高ズーム比を得ている。
【００４４】
また、第４レンズ群Ｌ４を広角端から望遠端へのズーミングに際し、物体側へ凸状の軌跡を描くように移動させている。これによって第３レンズ群Ｌ３と第４レンズ群Ｌ４との間隔を有効に活用し、高ズーム比化及び全系のコンパクト化を図っている。
【００４５】
また、第４レンズ群Ｌ４を物体側へ凸状の軌跡を描くように移動させることでズーム中間域における像面変動および色収差変動を良好に補正している。
【００４６】
また、第４レンズ群Ｌ４を光軸上移動させてフォーカシングを行うリヤーフォーカス式を採用している。
【００４７】
望遠端において無限遠物体から近距離物体へフォーカシングを行う場合には各レンズ断面図の矢印４ｃに示すように第４レンズ群Ｌ４を前方に繰り出すことによって行っている。第４レンズ群Ｌ４の実線の曲線４ａと点線の曲線４ｂは各々無限遠物体と近距離物体にフォーカシングしているときの広角端から望遠端へのズーミングに伴う際の像面変動を補正するための移動軌跡を示している。
【００４８】
さらに、各実施例では正の屈折力の第３レンズ群Ｌ３を光軸に対して垂直方向に移動させることにより、光学系全体が振動したときの撮影画像のぶれを補正している。
【００４９】
これにより、可変頂角プリズム等の光学部材や防振のためのレンズ群を新たに付加することなく防振を行うようにし、光学系全体が大型化するのを防止している。
なお、本実施形態では第３レンズ群Ｌ３を光軸と垂直方向に移動させて防振を行っているが、第３レンズ群Ｌ３を光軸に垂直な方向の成分を持つようにさえ移動させれば、画像のぶれを補正することができる。
【００５０】
例えば鏡筒構造の複雑化を許容すれば、光軸上に回転中心を持つように第３レンズ群Ｌ３を回動させて防振を行っても良い。
【００５１】
第１レンズ群Ｌ１は軽量化及び有効レンズ径の小型化のために、レンズ枚数が少ない方が好ましい。各実施例においては、第１レンズ群Ｌ１を正レンズと負レンズの各１枚を接合した接合レンズと正レンズより構成している。これにより高倍化を図った際に主に望遠端において発生する球面収差と色収差を補正している。
【００５２】
第２レンズ群Ｌ２は、物体側の面が凸でメニスカス形状の負レンズ、物体側の面が凹形状の負レンズ、物体側の面が凸形状の正レンズの独立した３枚のレンズより構成している。
【００５３】
これによってズーミング時の収差変動を少なくし、特に広角端における歪曲収差や望遠端における球面収差を良好に補正している。
【００５４】
また第２レンズ群Ｌ２は１以上の非球面を有している。これによって広画角化した際の像面湾曲を良好に補正している。
【００５５】
第３レンズ群Ｌ３は物体側から像側へ正レンズ、像面側の面が凹形状の負レンズ、正レンズからなり、主に望遠端において球面収差とコマ収差を良好に補正している。また防振時には、偏芯収差の発生量を抑え、防振性能を良好にしている。
【００５６】
第３レンズ群Ｌ３は１以上の非球面を有している。これによってズーミングに伴う収差変動を良好に補正している。
【００５７】
第４レンズ群Ｌ４は物体側の面が凸形状の１枚の正レンズまたは正レンズと負レンズとを貼りあわせた接合レンズより構成している。
【００５８】
また第４レンズ群Ｌ４は１以上の非球面を有している。これにより主にフォーカシングによる収差変動を抑え全系のコンパクト化を容易にしている。
【００５９】
実施例４では最も像面側に像面に対してズーミング時に固定）の正の屈折力の第５レンズ群Ｌ５を配置している。又、実施例６では最も像面側に像面に対してズーミング時に固定の負の屈折力の第５レンズ群Ｌ５している。第５レンズ群Ｌ５は像面湾曲などの諸収差の補正、前玉径の小型化、および、高ズーム比化を容易にしている。
【００６０】
各実施例において、望遠端における第１レンズ群Ｌ１と第２レンズ群Ｌ２との間隔をＤＴ１２とする。望遠端における第２レンズ群Ｌ２と第３レンズ群Ｌ３との間隔をＤＴ２３とする。
【００６１】
第１、第２、第３レンズ群の焦点距離を順にｆ１、ｆ２、ｆ３とする。広角端における全系の焦点距離をｆｗとする。このとき
０．００＜ＤＴ２３／ＤＴ１２＜０．０６  ・・・（１）
６．５＜ｆ１／ｆｗ＜３０．０            ・・・（２）
−０．７５＜ｆ２／ｆ３＜−０．１０      ・・・（３）
なる条件式を満足している。
【００６２】
条件式（１）は全系を小型にしつつ高倍化するために、望遠端における第１レンズ群Ｌ１、第２レンズ群Ｌ２、第３レンズ群Ｌ３の各レンズ群の位置を適切に定めたものである。
【００６３】
条件式（１）は望遠端におけるレンズ全長（第１レンズ面から最終レンズ面までの距離）を短縮しつつ、第２レンズ群Ｌ２と第３レンズ群Ｌ３の物理的干渉を防止し、更に光学性能の劣化を防ぐためのものである。
【００６４】
条件式（１）の下限を超えると第１レンズ群Ｌ１と第２レンズ群Ｌ２とのレンズ間隔ＤＴ１２が第２レンズ群Ｌ２と第３レンズ群Ｌ３とのレンズ群間隔ＤＴ２３に比べて大きくなる。
【００６５】
このため、望遠端におけるレンズ全長が大きくなり、小型化が困難になってくる。また、第２レンズ群Ｌ２および第３レンズ群Ｌ３が物理的に干渉してくる。また、第１レンズ群Ｌ１の移動量が大きくなるため、ズーミング時の像ゆれ、振動音、ズーミング時の鏡筒による偏芯などにより光学性能が劣化してくるので良くない。
【００６６】
逆に条件式（１）の上限を超えると前玉有効径が増大し、全系が大型化してくる。また、望遠端において色収差と、球面収差の補正が困難となる。
【００６７】
条件式（２）は全系を小型にしつつ高ズーム比化するために、変倍に寄与する第１レンズ群Ｌ１の焦点距離ｆ１と広角端における全系の焦点距離ｆｗとの比を適切に定めたものである。
【００６８】
条件式（２）の下限を超えて第１レンズ群Ｌ１の焦点距離ｆ１が広角端における全系の焦点距離ｆｗに比べて小さくなると、望遠端において軸上色収差、倍率色収差、球面収差が増大してくる。また、第１レンズ群Ｌ１を構成する正レンズのコバの厚みを確保するのが困難になり、製造のために有効径を大きくしなければならないので良くない。
【００６９】
逆に上限を超えて第１レンズ群Ｌ１の焦点距離ｆ１が広角端における全系の焦点距離ｆｗに比べて大きく（長く）なるとズーミング時における第１レンズ群Ｌ１の移動量が大きくなり、全系が大型化してくる。また第１レンズ群Ｌ１の移動量の増大に伴い、ズーミング時の像ゆれや、振動音が増大してくるので良くない。
【００７０】
条件式（３）は広画角化と、全長の短縮化および広角端から望遠端へのズーミングに際し、良好な光学性能を維持するために第２レンズ群Ｌ２と第３レンズ群Ｌ３の焦点距離ｆ２、ｆ３の比を適切に定めたものである。
【００７１】
条件式（３）の下限を超えて第２レンズ群Ｌ２の焦点距離ｆ２が、第３レンズ群Ｌ３の焦点距離ｆ３に比べて小さく（短く）なると、広角端において倍率色収差、非点収差の補正が困難になる。
【００７２】
また、第２レンズ群Ｌ２中の負レンズの開角が大きくなり、レンズの製造が困難になる。また、ズーム中間域においてコマ収差が多く発生し、像面変動が大きくなってくる。さらに、第２レンズ群Ｌ２が偏芯したときの光学性能の劣化に対する敏感度が高くなり、組み立てが困難となる。
【００７３】
また、第３レンズ群Ｌ３を光軸と垂直方向の成分を持つように移動させ防振を行う場合、第３レンズ群Ｌ３の防振に対する敏感度が低くなるため、第３レンズ群Ｌ３の防振時における移動量が大きくなり、全体が大型化してくるので良くない。
【００７４】
ここで防振に対する敏感度とは、第３レンズ群Ｌ３を単位量ＤＬ（例えば１ｍｍ）移動させたときの像点の光軸と垂直方向の変移量Ｍとの比Ｍ／ＤＬである。
【００７５】
条件式（３）の上限を超えて第２レンズ群Ｌ２の焦点距離ｆ２が第３レンズ群Ｌ３の焦点距離ｆ３に比べて大きく（長く）なると広画角化および前玉有効径の縮小が困難になる。
【００７６】
また高ズーム比化に伴い第２レンズ群Ｌ２の移動量が大きくなり、全長が増大してくる。さらに第３レンズ群の偏芯による光学性能の劣化に対する敏感度が高くなり、第３レンズ群Ｌ３を光軸と垂直方向の成分を持つように移動させて防振を行う場合、防振時における光学性能が劣化してくる。
【００７７】
以上のように条件式（１）、（２）、（３）を満足するように各レンズ群の焦点距離および望遠端における各レンズ群の位置関係、各レンズ群の移動軌跡等を適切に設定している。
【００７８】
これにより、ズーム全域で高い光学性能を維持した広画角かつ高ズーム比で前玉有効径が小さく、全長の短いコンパクトなズームレンズを達成している。
【００７９】
尚、更に好ましくは条件式（１）〜（３）の数値範囲を次の如く設定するのが良い。
【００８０】
０．００１＜ＤＴ２３／ＤＴ１２＜０．０６０  ・・・（１ａ）
６．７＜ｆ１／ｆｗ＜２０．０                ・・・（２ａ）
−０．７＜ｆ２／ｆ３＜−０．２              ・・・（３ａ）
各実施例によれば以上の如く構成することにより、高ズーム比でズーム全域にわたり高い光学性能を有した小型のズームレンズを得ることができる。
【００８１】
本発明において、更に好ましくは次の諸条件のうち１以上を満足するのが良い。
【００８２】
望遠端における第３レンズ群Ｌ３と第４レンズ群Ｌ４との間隔をＤＴ３４とする。
【００８３】
第４レンズ群Ｌ４の焦点距離をｆ４とする。
【００８４】
第３レンズ群Ｌ３中のレンズ空気間隔のうち最大となるレンズ空気間隔をＤＬ３、第３レンズ群全体の厚みをＤＧ３とする。
【００８５】
広角端と望遠端における第４レンズ群Ｌ４の横倍率をそれぞれβ４ｗ、β４ｔとする。
【００８６】
広角端と望遠端における第２レンズ群Ｌ２の横倍率をそれぞれβ２ｗ、β２ｔとする。
【００８７】
このとき、
−２．５＜ｆ２／ｆｗ＜−１．０              ・・・（４）
０．００＜ＤＴ２３／ＤＴ３４＜０．０８      ・・・（５）
０．１＜ｆ３／ｆ４＜０．８                  ・・・（６）
−０．５＜ｆ２／ｆ４＜−０．２              ・・・（７）
０．２＜ＤＬ３／ＤＧ３＜０．５              ・・・（８）
０．５＜β４ｔ／β４ｗ＜２．０              ・・・（９）
２．０＜β２ｔ／β２ｗ＜６．０              ・・・（１０）
なる条件式のうち１以上を満足するのが良い。
【００８８】
条件式（４）は全系を小型にしつつ広画角かつ高ズーム比にするために、変倍に寄与する第２レンズ群Ｌ２の焦点距離ｆ２と広角端における全系の焦点距離ｆｗとの比を適切に定めたものである。
【００８９】
条件式（４）の下限を超えて第２レンズ群Ｌ２の負の焦点距離ｆ２が広角端における全系の焦点距離ｆｗに比べて大きくなると、前玉有効径を縮小すること、および広画角化するのが困難になる。またズーム中間域において非点収差を補正するのが困難になる。さらに高倍化に伴う第２レンズ群Ｌ２の移動量が大きくなるため、全長が長くなり小型化が困難になる。
【００９０】
逆に条件式（４）の上限を超えて第２レンズ群Ｌ２の負の焦点距離ｆ２が広角端における全系の焦点距離ｆｗに比べて小さくなると、ズーム中間域においてコマ収差および像面変動を補正するのが困難になる。また、第２レンズ群Ｌ２が偏芯したときの光学性能の劣化に対する敏感度が高くなり、組み立てが困難になってくる。
【００９１】
条件式（５）は全系を小型化しつつ高ズーム比化を図るために、望遠端において無限遠物体に合焦しているときの第２レンズ群Ｌ２、第３レンズ群Ｌ３、第４レンズ群Ｌ４の相対的な位置関係を適切に定めたものである。
【００９２】
又条件式（５）は望遠端におけるレンズ全長の短縮化および、第２レンズ群Ｌ２と第３レンズ群Ｌ３の物理的干渉および光学性能の劣化を防止するためのものである。
【００９３】
条件式（５）の下限を超えると第３レンズ群Ｌ３と第４レンズ群Ｌ４とのレンズ間隔ＤＴ３４が第２レンズ群Ｌ２と第３レンズ群Ｌ３とのレンズ群間隔ＤＴ２３に比べて大きくなる。
【００９４】
このため、望遠端におけるレンズ全長が大きくなり、全系の小型化が困難になる。また、第２レンズ群Ｌ２および第３レンズ群Ｌ３が物理的に干渉しやすくなる。また、第４レンズ群Ｌ４でフォーカシングする場合、第４レンズ群Ｌ４のフォーカス敏感度が小さくなる。このため、レンズの間隔などによる誤差をフォーカシングで吸収する量が多くなり、フォーカシングのための余裕量を多く必要とし、全系が大型化してくる。また、誤差吸収による第４レンズ群Ｌ４の位置の移動による光学性能が大きく劣化してくる。
【００９５】
ここでフォーカス敏感度とは第４レンズ群Ｌ４を単位量ＦＤ（例えば１ｍｍ）移動させたときの像点（ピント位置）の変移量ＦＤａとの比、ＦＤａ／ＦＤである。
【００９６】
逆に条件式（５）の上限を超えると第４レンズ群Ｌ４と像面との距離が長くなり、全系を小型化しつつ、高いズーム比を実現することが困難となる。また、前玉有効径の縮小が困難となり、全系が大型化してくる。
【００９７】
条件式（６）は全系を小型化しつつ高いズーム比を得るために、変倍に寄与する第３レンズ群Ｌ３の焦点距離ｆ３および第４レンズ群Ｌ４の焦点距離ｆ４の比を適切に定めたものである。
【００９８】
条件式（６）の下限を超えて第３レンズ群Ｌ３の焦点距離ｆ３が小さくなると、特に望遠端において第４レンズ群Ｌ４のフォーカシングに伴うストロークが大きくなるため、レンズ全長が増大してくる。また第３レンズ群Ｌ３の屈折力が大きくなるため、球面収差やコマ収差の補正が困難になる。
【００９９】
また、第３レンズ群Ｌ３の焦点距離ｆ３が小さくなると、望遠端において第４レンズ群Ｌ４でフォーカシングした際に第４レンズ群Ｌ４に入る光線の角度変動が大きくなり、距離変動による光学性能の変動が大きくなるため好ましくない。
【０１００】
さらに、第３レンズ群Ｌ３を光軸と垂直方向の成分を持つように移動させて防振を行う場合、第３レンズ群Ｌ３の防振に対する敏感度が低くなる。このため、第３レンズ群Ｌ３の防振時における移動量が大きくなり、全系が大型化してくる。
【０１０１】
逆に上限を超えて第３レンズ群Ｌ３の焦点距離ｆ３が大きくなると第３レンズ群Ｌ３の変倍分担比が小さくなるため、高倍化が困難になる。また、球面収差、コマ収差の補正が困難になる。
【０１０２】
さらに第４レンズ群Ｌ４の焦点距離ｆ４が小さくなると、撮像面に入る光線の入射角がズーミングによって大きく変動し、色シェーディングが増大するため良くない。
【０１０３】
条件式（７）は全系を小型にしつつ高ズーム比化するために、変倍に寄与する第２レンズ群Ｌ２の焦点距離ｆ２と第４レンズ群Ｌ４の焦点距離ｆ４の比を適切に定めたものである。
【０１０４】
条件式（７）の下限を超えて第２レンズ群Ｌ２の焦点距離ｆ２が第４レンズ群Ｌ４の焦点距離ｆ４に比べて大きくなると、前玉有効径の縮小および広画角化が困難になる。また、フォーカシングによる光学性能の劣化が大きくなる。また、ズーム中間域において非点収差の補正が困難になる。さらに、高倍化に伴う第２レンズ群の移動量が大きくなるため、レンズ全長が長くなり小型化が困難になる。
【０１０５】
逆に上限を超えて第２レンズ群Ｌ２の焦点距離ｆ２が第４レンズ群Ｌ４の焦点距離ｆ４に比べて小さくなると、ズーム中間域においてコマ収差および像面変動の補正が困難になる。また、第２レンズ群Ｌ２の偏芯に対する光学性能の劣化との比である敏感度が高くなり、組み立てが困難となる。さらに、第４レンズ群Ｌ４のフォーカシングによる移動量が大きくなり、レンズ全長が増大してくるので良くない。
【０１０６】
条件式（８）は、全系を小型化しつつ、ズーム比を大きくしたときに、ズーム全域に渡って良好な光学性能を得るために第３レンズ群中のレンズ間隔を適切に定めたものである。
【０１０７】
条件式（８）の下限を超えて第３レンズ群Ｌ３中で空気間隔が最大となるレンズ間隔ＤＬ３が第３レンズ群Ｌ３の全体の厚みＤＧ３に比べて小さくなると主に非点収差の補正が困難になる。
【０１０８】
逆に条件式（８）の上限を超えて第３レンズ群Ｌ３中で空気間隔が最大となるレンズ間隔ＤＬ３が第３レンズ群Ｌ３の全体の厚みＤＧ３に比べて大きくなると第３レンズ群Ｌ３の厚みが大きくなりすぎて、レンズ全長が増大してくる。さらにレンズ同士が離れることで位置決め精度が厳しくなり、組み立てが困難になる。
【０１０９】
条件式（９）は全系が小型でかつ高いズーム比を得るために広角端および望遠端における第４レンズ群Ｌ４の横倍率β４ｗ、β４ｔを適切に定めたものである。
【０１１０】
条件式（９）の下限値を超えて望遠端において第４レンズ群Ｌ４の横倍率β４ｔが小さくなりすぎると第４レンズ群Ｌ４でフォーカシングした際の敏感度が小さくなり、第４レンズ群Ｌ４の移動量が増えるため全長が大きくなってくる。
【０１１１】
逆に条件式（９）の上限値を超えて望遠端において第４レンズ群Ｌ４の横倍率β４ｔが大きくなると全長を短く保ったまま高ズーム比化するのが困難となる。またフォーカシングした際の光学性能の変動も大きくなってくる。また、撮像面に入る光線の入射角がズーミングによって大きく変動し、色シェーディングが増大するため良くない。
【０１１２】
条件式（１０）は全系が小型でかつ高いズーム比を得るために広角端および望遠端において第２レンズ群の横倍率β２ｗ、β２ｔを適切に定めたものである。
【０１１３】
条件式（１０）の下限値を超えて望遠端において第２レンズ群Ｌ２の横倍率β２ｔが小さくなりすぎるとコマ収差および像面変動の補正が困難になる。また、前玉有効径が増大してくる。
【０１１４】
逆に条件式（１０）の上限値を超えて望遠端において第２レンズ群Ｌ２の横倍率β２ｔが大きくなりすぎるとズーミングに際して第２レンズ群の物体側への移動量が大きくなる。このため、全長が増大し、大型化してくるので良くない。
【０１１５】
尚、各実施例において更に収差補正及びズーミングの際の収差変動を小さくしつつレンズ系全体の小型化を図るには、条件式（４）〜（１０）の数値範囲を次の如く設定するのが好ましい。
【０１１６】
−２．０＜ｆ２／ｆｗ＜−１．０            ・・・（４ａ）
０．００１＜ＤＴ２３／ＤＴ３４＜０．０７０・・・（５ａ）
０．１５＜ｆ３／ｆ４＜０．７０            ・・・（６ａ）
−０．４５＜ｆ２／ｆ４＜−０．２          ・・・（７ａ）
０．２２＜ＤＬ３／ＤＧ３＜０．４４        ・・・（８ａ）
０．７＜β４ｔ／β４ｗ＜１．８            ・・・（９ａ）
２．２＜β２ｔ／β２ｗ＜５．８          ・・・（１０ａ）
各実施例において、更に好ましくは各実施例の第１レンズ群は物体側から像側へ順に負、正、正レンズの３枚のレンズから構成するのが良い。
【０１１７】
これによれば、主に望遠端において球面収差と、色収差を良好に補正するのが容易となる。
【０１１８】
又、好ましくは各実施例の第３レンズ群Ｌ３は物体側から順に正、負レンズを含む構成にするのが良い。
【０１１９】
これにより、主に望遠端において球面収差とズーム全域におけるコマ収差および非点収差を良好に補正するのが容易となる。さらに第３レンズ群中の前側主点を前に出すことで高ズーム比化が容易になる。
【０１２０】
さらに好ましくは第３レンズ群Ｌ３は少なくとも２枚の正レンズと１枚の負レンズを含む構成にするのが良い。
【０１２１】
これによれず、主にズーム全域においてコマ収差を良好に補正することが容易となる。
さらに好ましくは第４レンズ群Ｌ４は正レンズまたは正レンズと負レンズの貼りあわせた接合レンズからなる構成にするのが良い。
【０１２２】
これによれば、全系の小型化を図り、第４レンズ群Ｌ４でフォーカシングする際に高速化が容易となる。
【０１２３】
以上のように各実施例によれば、ズーム全域で高い光学性能を維持しつつ、広画角かつ高変倍比で前玉径および全長の短い小型なズームレンズを達成することができる。
【０１２４】
次に、本発明の実施例１〜６に各々対応する数値実施例１〜６を示す。各数値実施例においてｉは物体側からの光学面の順序を示し、ｒｉは第ｉ番目の光学面（第ｉ面）の曲率半径、ｄｉは第ｉ面と第ｉ＋１面との間の間隔、ｎｄｉとνｄｉはそれぞれｄ線に対する第ｉ番目の光学部材の材料の屈折率、アッベ数を示す。
【０１２５】
またｋを離心率、Ａ４、Ａ６、Ａ８、Ａ１０を非球面係数、光軸からの高さｈの位置での光軸方向の変位を面頂点を基準にしてｘとするとき、非球面形状は、
ｘ＝（ｈ２／Ｒ）／［１＋［１−（１＋ｋ）（ｈ／Ｒ）２］１／２］＋Ａ４ｈ４＋Ａ６ｈ６
＋Ａ８ｈ８＋Ａ１０ｈ１０
で表示される。但しＲは曲率半径である。また例えば「Ｅ−Ｚ」の表示は「１０−Ｚ」を意味する。
【０１２６】
ＢＦは空気換算でのバックフォーカスである。
【０１２７】
数値実施例において最後の２つの面は、フィルター、フェースプレート等の光学ブロックの面である。
【０１２８】
また、各数値実施例における上述した条件式との対応を表１に示す。
【０１２９】
単位 mm
面データ
面番号       r        d      nd         νd
1         48.562    1.20   1.84666    23.9           
2         24.861    4.20   1.48749    70.2           
3       -322.030    0.20                             
4         22.336    2.80   1.77250    49.6           
5         70.138  (可変)                             
6*       220.348    1.10   1.85960    40.4           
7*         5.055    3.60                             
8        -11.343    0.65   1.58313    59.4           
9        259.998    0.20                             
10         18.720    1.60   1.92286    18.9           
11       -103.908  (可変)                             
12*         8.606    2.00   1.68540    52.3           
13        -88.984    1.30                             
14(絞り)    ∞       1.91                             
15         20.814    0.70   1.92286    18.9           
16          7.381    0.50                             
17         17.325    1.60   1.51742    52.4           
18        -17.325  (可変)                             
19*        16.501    2.10   1.68540    52.3           
20        -34.252    0.65   1.92286    18.9           
21       -101.656  (可変)                             
像面        ∞   
非球面データ
第6面
K =-4.36817e+003  A 4= 7.84461e-005  A 6=-1.11803e-006  A 8= 4.37742e-009  
第7面
K =-7.53573e-001  A 4= 3.38148e-004  A 6= 1.09789e-005  A 8= 5.57043e-008  
第12面
K = 3.10477e+000  A 4=-8.34539e-004  A 6=-3.11372e-005  A 8= 1.83787e-006
A10=-2.66664e-007  
第19面
K = 5.97792e+000  A 4=-1.62077e-004  A 6=-2.19872e-008  A 8=-1.24320e-007  
各種データ
ズーム比     10.31 
焦点距離       5.11    19.63    52.65    41.09     7.52  
Fナンバー      3.39     4.60     5.84     5.15     3.87  
画角          37.18    11.17     4.21     5.39    27.28  
像高           3.88     3.88     3.88     3.88     3.88  
レンズ全長    52.30    60.93    72.25    70.14    50.88  
BF             8.17    13.23     4.84     8.90    10.12  
d 5            0.70    12.62    20.31    19.25     2.04  
d11           14.38     2.43     1.20     1.00     8.52  
d18            2.75     6.35    19.59    14.68     3.90  
d21            7.01    12.07     3.68     7.74     8.96  
d23            0.50     0.50     0.50     0.50     0.50  
ズームレンズ群データ
群  始面    焦点距離  
1    1      35.24  
2    6      -6.72  
3   12      13.68  
4   19      23.01  
【０１３０】
単位 mm
面データ
面番号       r        d      nd         νd
1         56.442    1.20   1.84666    23.9           
2         30.613    4.50   1.48749    70.2           
3       -145.984    0.20                             
4         24.934    2.80   1.69680    55.5           
5         69.079  (可変)                             
6*        55.305    1.55   1.84862    40.0           
7*         5.338    3.40                             
8        -12.484    0.60   1.77250    49.6           
9         54.683    0.20                             
10         16.904    1.50   1.92286    18.9           
11        -95.759  (可変)                             
12*         9.832    1.80   1.76753    49.3           
13       -125.855    1.00                             
14(絞り)    ∞       1.50                             
15         16.189    0.70   1.94595    18.0           
16          8.072    0.58                             
17         48.328    1.60   1.48749    70.2           
18        -13.136  (可変)                             
19*        15.762    2.50   1.58313    59.4           
20        -23.313    0.60   1.84666    23.9           
21        -76.868  (可変)                             
像面        ∞   
非球面データ
第6面
K = 0.00000e+000  A 8=-2.71167e-008  A10= 2.91406e-010  
第7面
K =-1.29019e+000  A 4= 9.02395e-004  A 6= 1.36547e-005  A 8=-1.79305e-008  
第12面
K =-1.65091e+000  A 4= 1.15345e-005  A 6= 4.90350e-006  A 8=-5.77855e-007
A10= 2.46059e-008  
第19面
K =-8.33205e+000  A 4= 2.53126e-004  A 6=-1.28096e-006  
各種データ
ズーム比     11.43 
焦点距離       5.12    20.92    58.56    46.77     8.98  
Fナンバー      3.50     4.56     5.51     5.14     3.93  
画角          35.69    10.49     3.79     4.74    23.35  
像高           3.68     3.88     3.88     3.88     3.88  
レンズ全長    56.59    66.32    77.41    75.50    57.95  
BF             6.34    12.79     7.75    10.30     9.24  
d 5            0.75    15.61    23.99    22.79     6.22  
d11           16.78     3.93     0.67     1.21     9.63  
d18            6.47     7.75    18.76    14.97     6.62  
d21            5.18    11.64     6.59     9.14     8.08  
d23            0.50     0.50     0.50     0.50     0.50  
ズームレンズ群データ
群  始面    焦点距離  
1    1      40.49  
2    6      -6.65  
3   12      13.30  
4   19      27.30  
【０１３１】
単位 mm
面データ
面番号       r        d      nd         νd
1         46.100    1.20   1.84666    23.9           
2         24.294    4.10   1.48749    70.2           
3       -533.604    0.20                             
4         23.154    2.80   1.77250    49.6           
5         78.257  (可変)                             
6*       137.194    1.10   1.85960    40.4           
7*         4.989    3.50                             
8        -11.597    0.65   1.60311    60.6           
9        113.625    0.20                             
10         17.794    1.60   1.92286    18.9           
11       -128.482  (可変)                             
12(絞り)    ∞       0.50                             
13*         8.505    2.00   1.68540    52.3           
14        -88.984    3.13                             
15         18.584    0.70   1.92286    18.9           
16          7.186    0.50                             
17         16.972    1.50   1.51742    52.4           
18        -21.703  (可変)                             
19*        16.149    2.40   1.68540    52.3           
20        -25.089    0.60   1.92286    18.9           
21        -54.039  (可変)                             
像面        ∞   
非球面データ
第6面
K = 1.44609e+001  A 4= 3.70710e-005  A 6=-1.29006e-006  A 8= 9.45173e-009  
第7面
K =-6.46572e-001  A 4= 2.80717e-004  A 6= 7.91116e-006  A 8=-2.52287e-008  
第13面
K = 3.41865e+000  A 4=-9.21812e-004  A 6=-3.48871e-005  A 8= 1.25417e-006
A10=-2.66664e-007  
第19面
K = 4.70183e+000  A 4=-1.49494e-004  A 6= 1.35226e-007  A 8=-8.47311e-008  
各種データ
ズーム比     10.30 
焦点距離       5.11    16.20    52.65    37.05     7.45  
Fナンバー      3.39     4.16     5.35     4.65     3.74  
画角          37.17    13.45     4.21     5.97    27.49  
像高           3.88     3.88     3.88     3.88     3.88  
レンズ全長    52.42    60.03    73.59    70.77    50.71  
BF             7.78    12.76     6.67    10.40    10.08  
d 5            0.70    10.97    20.82    19.01     1.68  
d11           13.60     2.86     0.50     0.76     7.66  
d18            3.65     6.76    18.92    13.92     4.61  
d21            6.49    11.47     5.38     9.10     8.79  
d23            0.50     0.50     0.50     0.50     0.50  
ズームレンズ群データ
群  始面    焦点距離  
1    1      35.49  
2    6      -6.53  
3   12      13.75  
4   19      20.24  
【０１３２】
単位 mm
面データ
面番号       r        d      nd         νd
1         47.493    1.20   1.84666    23.9           
2         24.370    4.20   1.48749    70.2           
3       -261.849    0.20                             
4         22.346    2.80   1.77250    49.6           
5         72.489  (可変)                             
6*       179.521    1.20   1.85960    40.4           
7*         5.066    3.60                             
8        -10.829    0.65   1.58313    59.4           
9        102.210    0.20                             
10         18.849    1.60   1.92286    18.9           
11        -88.665  (可変)                             
12*         8.613    2.00   1.68540    52.3           
13        -88.984    1.30                             
14(絞り)    ∞       1.90                             
15         19.090    0.70   1.92286    18.9           
16          7.413    0.50                             
17         20.593    1.60   1.51742    52.4           
18        -20.593  (可変)                             
19*        16.542    2.10   1.68540    52.3           
20        -26.247    0.65   1.92286    18.9           
21        -66.702  (可変)                             
22       -124.575    1.30   1.51633    64.1           
23        -54.482  (可変)                             
像面        ∞   
非球面データ
第6面
K =-2.60799e+003  A 4= 8.89173e-005  A 6=-1.21653e-006  A 8= 4.09157e-009  
第7面
K =-6.60842e-001  A 4= 2.98790e-004  A 6= 1.11252e-005  A 8= 1.10444e-007  
第12面
K = 3.13668e+000  A 4=-8.35642e-004  A 6=-3.08920e-005  A 8= 1.76517e-006
A10=-2.66664e-007  
第19面
K = 5.36390e+000  A 4=-1.54107e-004  A 6= 6.45448e-008  A 8=-9.79706e-008  
各種データ
ズーム比     10.31 
焦点距離       5.11    19.80    52.65    41.71     7.44  
Fナンバー      3.39     4.66     5.14     4.83     3.89  
画角          37.20    11.07     4.21     5.31    27.51  
像高           3.88     3.88     3.88     3.88     3.88  
レンズ全長    52.28    61.29    71.68    69.83    51.07  
BF             5.71     5.71     5.71     5.71     5.71  
d 5            0.70    12.17    20.41    19.15     1.78  
d11           13.83     2.31     0.51     0.50     8.32  
d18            1.81     4.82    15.79    11.83     2.82  
d21            2.53     8.57     1.55     4.94     4.73  
d23            4.55     4.55     4.55     4.55     4.55  
d25            0.50     0.50     0.50     0.50     0.50  
ズームレンズ群データ
群  始面    焦点距離  
1    1      34.33  
2    6      -6.47  
3   12      14.13  
4   19      21.82  
5   22     186.36  
【０１３３】
単位 mm
面データ
面番号       r        d      nd         νd
1         35.420    1.20   1.80518    25.4           
2         23.694    4.60   1.48749    70.2           
3        101.691    0.20                             
4         27.989    3.00   1.69680    55.5           
5         70.601  (可変)                             
6*       424.632    1.10   1.85960    40.4           
7*         5.051    4.18                             
8        -11.688    0.80   1.69680    55.5           
9        -34.798    0.20                             
10         27.287    1.80   1.92286    18.9           
11        -52.859  (可変)                             
12(絞り)    ∞      -0.20                             
13*         8.560    2.50   1.68540    52.3           
14        -45.840    2.77                             
15         24.534    0.76   1.92286    18.9           
16          6.941    0.50                             
17         13.835    1.70   1.69680    55.5           
18        -23.089  (可変)                             
19*        18.124    2.20   1.69350    53.2           
20       -160.163  (可変)                             
像面        ∞   
非球面データ
第6面
K =-4.49652e+004  A 4= 1.06321e-004  A 6=-1.55003e-006  A 8= 7.91875e-009  
第7面
K =-7.34115e-001  A 4= 1.12003e-004  A 6= 1.23574e-005  A 8=-1.69913e-007  
第13面
K = 2.96284e+000  A 4=-8.34192e-004  A 6=-2.80046e-005  A 8= 1.68691e-006
A10=-2.66664e-007  
第19面
K = 9.10560e+000  A 4=-2.73974e-004  A 6= 4.44006e-006  A 8=-2.70039e-007  
各種データ
ズーム比      8.01 
焦点距離       4.38     7.62    35.10    18.33     5.86  
Fナンバー      3.40     3.90     5.85     5.18     3.55  
画角          41.50    26.96     6.30    11.94    33.46  
像高           3.88     3.88     3.88     3.88     3.88  
レンズ全長    53.81    53.20    74.81    67.30    50.90  
BF             4.65     6.04     2.26     3.38     6.22  
d 5            0.80     5.31    25.65    17.75     2.56  
d11           16.01     7.52     0.98     3.67     9.99  
d18            5.05     7.03    18.62    15.19     4.82  
d20            3.49     4.88     1.10     2.22     5.06  
d22            0.50     0.50     0.50     0.50     0.50  
ズームレンズ群データ
群  始面    焦点距離  
1    1      50.53  
2    6      -7.47  
3   12      12.08  
4   19      23.60  
【０１３４】
単位 mm
面データ
面番号       r        d      nd         νd
1         35.154    1.20   1.80518    25.4           
2         23.910    4.60   1.48749    70.2           
3        104.921    0.20                             
4         28.022    3.00   1.69680    55.5           
5         66.714  (可変)                             
6*       141.854    1.10   1.85960    40.4           
7*         5.066    4.36                             
8        -11.688    0.80   1.69680    55.5           
9        -36.194    0.20                             
10         28.062    1.80   1.92286    18.9           
11        -55.338  (可変)                             
12(絞り)    ∞      -0.20                             
13*         8.903    2.50   1.68540    52.3           
14        -41.123    3.02                             
15         23.473    0.76   1.92286    18.9           
16          6.940    0.50                             
17         12.648    1.70   1.69680    55.5           
18        -32.555  (可変)                             
19*        16.307    2.20   1.68540    52.3           
20        -44.972  (可変)                             
21        -91.464    0.60   1.69680    55.5           
22         92.915  (可変)                             
像面        ∞   
非球面データ
第6面
K =-1.46574e+003  A 4= 8.10927e-005  A 6=-1.03070e-006  A 8= 4.68000e-009  
第7面
K =-7.21778e-001  A 4= 9.68862e-005  A 6= 9.30949e-006  A 8=-7.11366e-008  
第13面
K = 2.92555e+000  A 4=-7.37954e-004  A 6=-2.56766e-005  A 8= 2.18221e-006  A10=-2.66664e-007  
第19面
K = 5.79008e+000  A 4=-2.56772e-004  A 6= 4.16766e-006  A 8=-1.99073e-007  
各種データ
ズーム比      8.04 
焦点距離       4.37     7.69    35.10    18.50     5.95  
Fナンバー      3.40     3.91     5.69     5.14     3.60  
画角          41.58    26.73     6.30    11.83    33.06  
像高           3.88     3.88     3.88     3.88     3.88  
レンズ全長    55.70    54.78    76.69    68.92    52.62  
BF             2.71     2.71     2.71     2.71     2.71  
d 5            0.80     5.19    25.68    17.73     2.39  
d11           17.08     7.98     0.97     3.86    10.58  
d18            5.66     8.26    18.35    15.41     6.37  
d20            1.10     2.29     0.64     0.85     2.23  
d22            1.55     1.55     1.55     1.55     1.55  
d24            0.50     0.50     0.50     0.50     0.50  
ズームレンズ群データ
群  始面    焦点距離  
1    1      50.84  
2    6      -7.47  
3   12      12.37  
4   19      17.72  
5   21     -66.06  
【０１３５】
【表１】
2010039429.tif 000003
次に各実施例に示したようなズームレンズを撮影光学系として用いたデジタルスチルカメラの実施形態を図２５を用いて説明する。
【０１３６】
図２５において、２０はカメラ本体、２１は実施例１〜５で説明したいずれかのズームレンズによって構成された撮影光学系である。２２はカメラ本体に内蔵され、撮影光学系２１によって形成された被写体像を受光するＣＣＤセンサやＣＭＯＳセンサ等の固体撮像素子（光電変換素子）である。２３は固体撮像素子２２によって光電変換された被写体像に対応する情報を記録するメモリである。２４は液晶ディスプレイパネル等によって構成され、固体撮像素子２２上に形成された被写体像を観察するためのファインダである。
【０１３７】
このように本発明のズームレンズをデジタルスチルカメラ等の撮像装置に適用することにより、小型で高い光学性能を有する撮像装置が実現できる。
【図面の簡単な説明】
【０１３８】
【図１】本発明の実施例１の広角端におけるレンズ断面図
【図２】本発明の実施例１に対応する数値実施例１の広角端の収差図
【図３】本発明の実施例１に対応する数値実施例１の中間のズーム位置の収差図
【図４】本発明の実施例１に対応する数値実施例１の望遠端の収差図
【図５】本発明の実施例２の広角端におけるレンズ断面図
【図６】本発明の実施例２に対応する数値実施例２の広角端の収差図
【図７】本発明の実施例２に対応する数値実施例２の中間のズーム位置の収差図
【図８】本発明の実施例２に対応する数値実施例２の望遠端の収差図
【図９】本発明の実施例３の広角端におけるレンズ断面図
【図１０】本発明の実施例３に対応する数値実施例３の広角端の収差図
【図１１】本発明の実施例３に対応する数値実施例３の中間のズーム位置の収差図
【図１２】本発明の実施例３に対応する数値実施例３の望遠端の収差図
【図１３】本発明の実施例４の広角端におけるレンズ断面図
【図１４】本発明の実施例４に対応する数値実施例４の広角端の収差図
【図１５】本発明の実施例４に対応する数値実施例４の中間のズーム位置の収差図
【図１６】本発明の実施例４に対応する数値実施例４の望遠端の収差図
【図１７】本発明の実施例５の広角端におけるレンズ断面図
【図１８】本発明の実施例５に対応する数値実施例５の広角端の収差図
【図１９】本発明の実施例５に対応する数値実施例５の中間のズーム位置の収差図
【図２０】本発明の実施例５に対応する数値実施例５の望遠端の収差図
【図２１】本発明の実施例６の広角端におけるレンズ断面図
【図２２】本発明の実施例６に対応する数値実施例６の広角端の収差図
【図２３】本発明の実施例６に対応する数値実施例６の中間のズーム位置の収差図
【図２４】本発明の実施例６に対応する数値実施例６の望遠端の収差図
【図２５】本発明の撮像装置の概略図
【符号の説明】
【０１３９】
Ｌ１  第１レンズ群
Ｌ２  第２レンズ群
Ｌ３  第３レンズ群
Ｌ４  第４レンズ群
ｄ    ｄ線
ｇ    ｇ線
ΔＭ  メリディオナル像面
ΔＳ  サジタル像面
ＳＰ  絞り
Ｇ    ＣＣＤのフォースプレートやローパスフィルター等のガラスブロック
ω    半画角
Ｆｎｏ  Ｆナンバー
【図１】
2010039429.tif 000004
【図２】
2010039429.tif 000005
【図３】
2010039429.tif 000006
【図４】
2010039429.tif 000007
【図５】
2010039429.tif 000008
【図６】
2010039429.tif 000009
【図７】
2010039429.tif 000010
【図８】
2010039429.tif 000011
【図９】
2010039429.tif 000012
【図１０】
2010039429.tif 000013
【図１１】
2010039429.tif 000014
【図１２】
2010039429.tif 000015
【図１３】
2010039429.tif 000016
【図１４】
2010039429.tif 000017
【図１５】
2010039429.tif 000018
【図１６】
2010039429.tif 000019
【図１７】
2010039429.tif 000020
【図１８】
2010039429.tif 000021
【図１９】
2010039429.tif 000022
【図２０】
2010039429.tif 000023
【図２１】
2010039429.tif 000024
【図２２】
2010039429.tif 000025
【図２３】
2010039429.tif 000026
【図２４】
2010039429.tif 000027
【図２５】
2010039429.tif 000028